(57)【要約】【課題】  組み立て時の手間を少なくした改ざん防止用の包装箱を提供する。【解決手段】  開封時に天面２１を持ち上げることによって差込フラップ３０を切断するようにした包装箱１であって、天面２１に所定形状の切欠きからなる取付部２２を形成し、この取付部２２内に取付片３１を設けるとともに当該取付片３１の先端に幅広の差込片３２を設けて差込フラップ３０を構成する。また、取付片３１を係止させるために、左右の内フラップ４１（４２）の前縁に所定形状の切欠きからなる係止部４５を設けるとともに、例えば、取付片３１の差込片３２への取付線１８上に破断線１２を設ける。封緘時には、内フラップ４１（４２）の上方から下方に取付片３１を交差させて取付片３１を係止部４５に係止させ、差込片３２の後端縁３２ａを内フラップ４１（４２）の下面に位置させる。【選択図】図１
2010215263.tif 000002
【特許請求の範囲】
【請求項１】
箱本体の開口を塞ぐ天面と、天面が備えられた開口縁に隣接する左右開口縁の少なくとも一方の開口縁に備えられた内フラップと、当該内フラップの前縁と前記開口の前縁との間に差し込まれる差込フラップとを備えた包装箱であって、
前記天面は、前縁から当該天面と前記開口縁の折り目線に向かう左右一対の切断線の少なくとも一部を周縁の一部とする切欠きからなる取付部を有し、
前記差込フラップは、前記開口の前縁と略平行となる接続線によって前記取付部内において前記天面に備えられた取付片と、当該取付片の先端に備えられ、前記取付部の前縁幅よりも広い幅を有し、前記取付片の先端両側において前記天面と切り離された差込片とを有し、かつ、当該差込フラップは前記取付片の左右の縁上の点を端点とする破断線を備え、
前記内フラップは、前記取付片を当該内フラップの上方から下方に交差させ、前記差込片の後端縁を当該内フラップの下面に位置させる切欠きからなる係止部を有することを特徴とする包装箱。
【請求項２】
前記天面と前記取付片の接続線において山折りされたことを特徴とする請求項１に記載の包装箱。
【請求項３】
前記係止部の両端縁は前記内フラップの前縁から天面と開口縁の折り目線方向に向かって間隔が広がる略逆ハの字形状となったことを特徴とする請求項２に記載の包装箱。
【請求項４】
前記係止部の前縁位置における切欠き幅は前記取付片と前記差込片の接続幅よりも広いことを特徴とする請求項３に記載の包装箱。
【請求項５】
前記破断線が前記取付片と前記差込片の接続位置に設けられたことを特徴とする請求項１〜４の何れか１項に記載の包装箱。
【請求項６】
前記破断線が前記取付片に設けられたことを特徴とする請求項１〜４の何れか１項に記載の包装箱。
【請求項７】
前記破断線が前記差込片に設けられたことを特徴とする請求項１〜４の何れか１項に記載の包装箱。
【請求項８】
前記内フラップの係止部は、当該内フラップが備えられた開口縁の近傍に設けられたことを特徴とする請求項１〜７の何れか１項に記載の包装箱。
【請求項９】
天面が備えられた開口縁に隣接する左右の開口縁に、前縁の一部が重なるように左右の内フラップが備えられ、当該重なる領域に前記係止部が形成されたことを特徴とする請求項１〜８の何れかに記載の包装箱。
【請求項１０】
前記係止部は、当該係止部の前縁から天面と開口縁の折り目線方向に向かって膨らむ第２の切欠きを有することを特徴とする請求項１〜９の何れかに記載の包装箱。
【発明の詳細な説明】
【技術分野】
【０００１】
本発明は、包装箱、より具体的に言うと、購入時に開封したことが一見して判別することができる包装箱に関する。
【背景技術】
【０００２】
近年、商品売り場等において、異物を混入し、あたかも未開封のように見せかけるという事態が生じている。これを防ぐため、種々の改ざん防止用包装箱が提案されている。
【０００３】
例えば、特開２００３−１３７２７７号公報（特許文献１）には、左右の内フラップが切断可能に箱本体上部の開口に備えられ、両内フラップが天面裏面に接着された構造の包装箱が開示されている。この包装箱では、天面を開くと左右の内フラップが切断される。
【０００４】
特開２００３−３２７２４２号公報（特許文献２）には、天面と差込フラップを仕切る折り目線上に切れ目が備えられるとともに、箱本体正面に破断線が設けられ、この破断線で囲まれた部分から上方に延設した差し込み片が設けられた包装箱が開示されている。この包装箱では、天面と差込フラップを仕切る折り目線上の切れ目に差み込み片が挿入されるので、天面を開く際に破断線が破られる。
【０００５】
特開２００４−２６９０３１号公報（特許文献３）には、差込プラップが天面に切断可能に備えられるとともに、天面と差込フラップの接続部分に切れ目が設けられ、左右の内プラップの一方に当該切れ目に差し込み可能な突起が設けられた包装箱が開示されている。この包装箱では、内フラップの突起が切れ目に挿入されているので、天面を開く際に差込フラップが切り取られる。
【０００６】
特開２００３−１３７２７４号公報（特許文献４）には、箱本体上部の開口を閉じる天面と、当該天面の裏面と糊付けされる外受けフラップを有し、天面に切断予定部が備えられた包装箱が開示されている。この包装箱では、切断予定部を切断して開封する。
【０００７】
特開２００３−１６５５２９号公報（特許文献５）には、天面と差込フラップを仕切る折り目線上の両端近傍及びその中央に切り目が設けられ、左右の内フラップに前記両端の切れ目に挿入される突起が備えられるとともに、前記折り目線の中央切れ目に挿入される差込片が箱本体の開口に延設された包装箱が開示されている。
【０００８】
この包装箱では、左右内フラップに設けられた突起が切れ目に挿入されるので蓋がしっかりと固定され、開封時には差込片が損傷されるか、箱がくずれ、改ざんが容易に判別される。
【先行技術文献】
【特許文献】
【０００９】
【特許文献１】特開２００３−１３７２７７号公報
【特許文献２】特開２００３−３２７２４２号公報
【特許文献３】特開２００４−２６９０３１号公報
【特許文献４】特開２００３−１３７２７４号公報
【特許文献５】特開２００３−１６５５２９号公報
【発明の概要】
【発明が解決しようとする課題】
【００１０】
しかしながら、特許文献１の包装箱では天面と内フラップを、特許文献４の包装箱では天面と外受けフラップをそれぞれ糊付けする必要があり、組み立てが面倒である。
【００１１】
一方、特許文献２や特許文献３、特許文献５の包装箱ではそれぞれ切れ目に差込片を挿入する必要があり、やはり組み立てに手間を要するという問題点があった。
【００１２】
本発明は上記の背景技術に鑑みてなされたものであって、本発明の目的は組み立て時の手間を少なくした改ざん防止用の包装箱を提供することにある。
【課題を解決するための手段】
【００１３】
そこで、本発明では、天面に所定形状の切欠きからなる取付部を形成し、当該取付部内において天面に備えられる取付片と、当該取付片の先端に備えられかつ当該取付片の先端両側において前記天面と切り離された差込片とからなる差込フラップを備えた上で、前記取付片の左右の縁上の点を端点とする破断線を差込フラップに形成すると共に、前記差込フラップの取付片を係止部の上方から下方に交差させて、差込フラップの取付片の後端縁を当該内フラップの下面に位置させる切欠きからなる係止部を内フラップに設けている。
【００１４】
この包装箱において、天面と取付片の接続位置において山折りされる折り目線を設け、この折り目線で山折りすれば、当該係止部内で取付片と内フラップを交差させて封緘できる。そうすると、内フラップの下面に差込フラップの差込片の後端縁が位置した状態で包装箱が封緘される。
【００１５】
また、取付片と差込片の接続位置において山折りされる折り目線を設け、この折り目線で山折りすれば、改ざん防止措置がなされていない通常の包装箱と同じように封緘できる。そして、封緘した後に、取付片の前方位置を押し下げるようにすると、内フラップの下面に差込フラップの差込片の後端縁が位置した状態で包装箱が封緘される。
【００１６】
そして、開封のために天面を持ち上げると、差込片は上方に移動しようとするが内フラップの開く角度が天面の持ち上がり角度より小さいので、差込片の上方への移動が制限される。一方、取付片は天面と共に持ち上げられるので、破断線には取付片による上向きの力が働き、差込片による下向きの力が働く。この結果、差込フラップに形成された破断線が破断される。
【発明の効果】
【００１７】
本発明の包装箱では、組み立て時に糊付けしたり、差込片を切れ目に挿入したりすることなく、簡単に組み立てられる。また、開封時には天面を開封すれば、差込フラップが切断され、開封されたことがすぐにわかる。
【図面の簡単な説明】
【００１８】
【図１】図１は本発明の包装箱の斜視図である。
【図２】図２は図１の包装箱の展開図である。
【図３】図３は封をした包装箱の平面図である。
【図４】図４は図３のＡＡ線断面図である。
【図５】図５は図３のＢＢ線断面図である。
【図６】図６は図１の包装箱を開封する様子を示す説明図である。
【図７】図７は本発明の別の実施形態に係る包装箱を一部破断した展開図である。
【図８】図８は本発明のさらに別な実施形態に係る包装箱を一部破断した展開図である。
【図９】図９は本発明のさらに別な実施形態に係る包装箱を一部破断した展開図である。
【図１０】図１０は本発明のさらに別な実施形態に係る包装箱を一部破断した展開図である。
【図１１】図１１は本発明のさらに別な実施形態に係る包装箱の展開図である。
【図１２】図１２は本発明のさらに別な実施形態に係る包装箱の斜視図である。
【図１３】図１３は本発明のさらに別な実施形態に係る包装箱の斜視図である。
【図１４】図１４は図１３の包装箱を一部破断した展開図である。
【図１５】図１５は封をした包装箱の平面図である。
【図１６】図１６は図１５のＢＢ線断面図である。
【図１７】図１７は本発明のさらに別な実施形態に係る包装箱を一部破断した展開図である。
【発明を実施するための形態】
【００１９】
本発明の包装箱は、内フラップの前縁と箱本体上部の開口前縁との間に差込フラップを差し込むタイプの包装箱において、開封時に天面を持ち上げることによって差込フラップを切断するようにした包装箱である。この包装箱は内フラップに所定形状の切欠きが備えられ、この切欠きを利用することにより内フラップ下面に差込フラップの端面を位置させ、開封動作により差込フラップを切断する構造を有する。
【００２０】
具体的には、本発明の包装箱は、箱本体の開口を塞ぐ天面と、天面が備えられた開口縁に隣接する左右開口縁の少なくとも一方の開口縁に備えられた内フラップと、当該内フラップの前縁と前記開口の前縁との間に差し込まれる差込フラップとを備えた包装箱であって、前記天面は、前縁から当該天面と前記開口縁の折り目線に向かう左右一対の切断線の少なくとも一部を周縁の一部とする切欠きからなる取付部を有し、前記差込フラップは、前記開口の前縁と略平行となる接続線によって前記取付部内において前記天面に備えられた取付片と、当該取付片の先端に備えられ、前記取付部の前縁幅よりも広い幅を有し、前記取付片の先端両側において前記天面と切り離された差込片とを有し、かつ、当該差込フラップは前記取付片の左右の縁上の点を端点とする破断線を備え、前記内フラップは、前記取付片を当該内フラップの上方から下方に交差させ、前記差込片の後端縁（山折りされた後には上端縁となる。）を当該内フラップの下面に位置させる切欠きからなる係止部を有する。
【００２１】
この包装箱にあっては、２つの態様が考えられる。一つは、取付部内において、天面と取付片の接続位置において山折りする折り目線を設け、この山折り線で山折りして封緘し、差込片の後端縁を内フラップの下面に位置させる。もう一つは、取付片と差込片の接続位置において山折りする折り目線を設け、この山折り線で山折りして封緘する。この状態では、これまで一般的に用いられている差込フラップを備えた包装箱と同じである。この状態から、取付片の前方位置を下に押し込むようにして、差込片の後端縁を内フラップの下面に位置させる。このように本発明の包装箱は２つの態様がある。以下、本発明について図面を参照しながら詳細に説明する。
【実施例１】
【００２２】
図１は本発明の一実施形態である包装箱１の斜視図、図２は当該包装箱１の展開図である。図１に示す包装箱１は、本発明の第１の実施形態について示すものであり、取付片３１と天面２１の接続位置で山折りされる。展開図には原則として紙面の裏面側に山折りされる山折り線が一点鎖線で示され、破断線と重複する場合には破線で示されている。この包装箱１は、箱本体１０と、箱本体１０の上部開口１１の蓋となる天面２１と、天面２１が備えられた開口縁に隣接する開口縁に備えられた２つの内フラップ、つまり左内フラップ４１及び右内フラップ４２と、箱本体１０の下部開口１１の蓋となる４つの底フラップ２７を有している。箱本体１０は、連続する４つの側面２６と一つののりしろ片２８とから構成される。包装箱１は、打ち抜き加工等によって展開図に示す状態で作製された一枚の紙状片２０から組み立てられる。この紙状片２０は、可撓性を有する紙やプラスチックシートから作製される。なお、以下においては、組み立てた際に山折りされた差込片３２の正面が見える面を前面とし、前面側に位置する方を前方、前面に対して左右の方向を幅方向、この幅方向に対して垂直な方向（前後方向、鉛直方向を問わず）を長さ方向として説明する。また、各内フラップ４１（４２）については、箱本体１０との折り目線１４から離れた位置にある縁を前縁として説明する。
【００２３】
天面２１は、組み立て時に背面に位置する側面２６の上辺（開口１１の背面側にある開口縁）に備えられ、折り目線１４で山折りされる。天面２１には、開口１１の前面側にある開口縁のほぼ中央付近に位置する等脚台形状の切り欠きからなる取付部２２が形成されている。この取付部２２は、天面２１の先端（前縁）から折り目線１４に向けて略ハの字形状をなす長さの等しい左右の一対の切断線２３と、天面２１と開口縁との折り目線１４側の端点、つまり一対の切断線２３の終点イを結ぶ線１５で囲まれ、左右一対の切断線２３が取付部２２の周縁の一部となっている。また、前記切断線２３の終点イを結ぶ線１５は、前面側の開口縁と略平行であり、天面２１との接続線となっている。この終点イを結ぶ線１５は、山折りされる折り目線１６として利用される。
【００２４】
差込フラップ３０は、天面２１の取付部２２内に備えられた取付片３１と、取付部２２の前縁位置に相当する取付片３１の先端に備えられた差込片３２とからなる。取付片３１は左右一対の切断線２３の終点イを結ぶ線１５（折り目線１６）を取り付け位置として天面２１に備えられている。取付片３１の形状は取付部２２の形状とほぼ同じであり、取付部２２の周縁をなす切断線２３によって天面２１と取付片３１が切り離された形状となっている。
【００２５】
差込片３２はほぼ矩形状をしており、その幅は開口１１の内法長さとほぼ同じである。差込片３２は、取付片３１の先端において取付片３１と連接され、取付片３１への取付線１８の両側に伸びる切断線１７によって天面２１の先端と切り離されている。
【００２６】
言い換えると、実施例１の包装箱１は、天面の前縁の幅方向とほぼ等しい幅を有する差込フラップを有する一般的によく知られている構造をした包装箱において、天面と差込フラップの折り目線上にその左右両側から、差込フラップが切断されないように切れ込みを入れ、当該切れ込みの終端から天面に略ハの字形状をした左右一対の切断線２３を設けたのと同様である。そして、この切断線２３の終点イを結ぶ線１５で山折りしている。
【００２７】
差込フラップ３０は開封時に切断される破断線１２を有している。この破断線１２は、開封されることにより切断され、開封されたことが分かる目印となる。破断線１２は取付片３１の左右の周縁上の点、つまり天面２１と取付片３１とを切断する左右の切断線２３上の点を端点とする。本発明では、破断線１２は以下の実施例において示すように取付片３１の左右の周縁上の点を端点としていればよく、直線状、曲線状、蛇行状など任意の態様に設けることができるが、切断されやすさの観点からすると、開口１１の前面開口縁と平行な直線部を有する態様にするのが好ましい。実施例１の破断線１２は、取付片３１と差込片３２との取付線１８上に設けられている。
【００２８】
この包装箱１には、左の開口縁に備えられる左内フラップ４１と、右の開口縁に備えられる右内フラップ４２の２つの内フラップ４１（４２）が備えられている。左内フラップ４１は開口縁への取付部位である折り目線４３にて山折りされ、右内フラップ４２は開口縁への取付部位である折り目線４４にて山折りされる。左内フラップ４１と右内フラップ４２はほぼ同じ大きさを有し、左内フラップ４１の先端縁４１ａの長さが折り目線４３の長さに比べて短く、また右内フラップ４２の先端縁４２ａの長さが折り目線４４の長さに比べて短くなった略台形状に作製されている。このとき、その前縁における幅は開口１１の幅よりもわずかに短く、両内フラップ４１（４２）の前縁において幅方向のほぼ全域が重なるように両内フラップ４１（４２）が作製されている。左右の内フラップ４１（４２）の前方側にある側縁は箱本体１０の前方開口縁の近傍に位置し、当該側縁と箱本体１０の前方開口縁との間に前記差込フラップ３０の差込片３２が差し込まれる。
【００２９】
左内フラップ４１と右内フラップ４２の両者が重なる領域には、それぞれその前縁中央に切欠きからなる係止部４５が形成されている。この係止部４５は、組み立て時に差込フラップ３０の取付片３１を上方から下方に交差させる役目を有する。この係止部４５があるので、両内フラップ４１（４２）の下面に差込片３２を位置させることができる。従って、組み立て時において、左内フラップ４１の切欠き位置と右フラップ４２の切欠き位置はほぼ重なる位置にあり、２つの切欠きの前縁は、箱本体１０の幅方向においては、取付片３１の差込片３２への取り付け位置とほぼ同じ位置にある。
【００３０】
図１に示す係止部４５となる切欠きは、前縁から天面２１と開口縁の折り目線１４方向に向かって間隔が広がる略逆ハの字形状をなす長さの等しい左右一対の切断線４７を周縁の一部とする等脚台形状に作製されている。図示された係止部４５は、左右の内フラップ４１（４２）の前縁における切欠き幅（図２のＬ１で示される）は、取付片３１の差込片３２への取り付け幅（図２のＬ３で示される）よりも大きく（Ｌ１＞Ｌ３）、切断線４７の端点（終点）同士を結ぶ直線４８の長さ（幅）（Ｌ２）は、差込片３２の取り付け幅（Ｌ３）よりもわずかに大きく形成されている（Ｌ２＞Ｌ３）。従って、内フラップの前縁における切欠き幅（Ｌ１）と、切断線４７の端点（終点）同士を結ぶ直線４８の長さ（幅）（Ｌ２）と、差込片３２の取り付け幅（Ｌ３）の関係は、Ｌ２＞Ｌ１＞Ｌ３となる。また、取付片３１の天面２２への取り付け幅（図２のＬＡで示される）は、左右の内フラップ４１（４２）の前縁における切欠き幅（Ｌ１）よりも小さければよい（Ｌ１＞ＬＡ）。
【００３１】
もっとも、係止部４５は、取付片３１を内フラップ４１（４２）の上方から下方に交差させ、差込片３２の後端縁３２ａを内フラップ４１（４２）の下面に位置させておくことができればよい。そこで、係止部４５の前縁における幅は、取付片３１の幅、さらに具体的に言えば、内フラップ４１（４２）を交差させることができる幅を有しさえすればよい。言い変えると、前縁から天面２１と開口縁の折り目線１４方向に向かって左右の切断線４７の幅が広がるか若しく切断線４５が平行である係止部４５の領域内において、取付片３１の折り目線１５で山折りされる前の状態において、当該取付片３１が収まりさえすればよい。従って、取付部２２の形状は、図示されたように略ハの字形状に限られず、図示はしないが、逆ハの字形状になった切断線２３や平行となった切断線２３、円弧状になった切断線２３から取付部２２を構成できる。また、切断線４７の端点（終点）同士を結ぶ直線４８の長さ（幅）（Ｌ２）と、差込片３２の取り付け幅（Ｌ３）がほぼ同じであってもよい。
【００３２】
差込片３２の取り付け幅、つまり破断線１２（取付線１８）の幅が、絶対的な意味において（内フラップ４１（４２）の前縁における切欠き幅（Ｌ１）に関係なく）狭い場合には破断線１２が容易に切除されてしまい包装箱１としての体をなさない虞がある。このため、係止部４５の内フラップ４１（４２）前縁における切欠き幅（幅Ｌ１）やその他切断線４７の方向など、係止部４５の大きさ、形状はこのような虞がないよう、紙状片２０の厚さ等を考慮しながら適宜設計される。
【００３３】
係止部４５における切欠きの奥行き、すなわち、天面２１と開口縁の折り目線１４方向に向かう長さ（切欠きの形状である台形の高さに相当）は特に制約はないが、少なくとも山折りされた差込片３２の後端縁３２ａが内フラップ４１（４２）の下面に確実に位置する程度、少なくとも差込片３２の厚み以上の長さは必要である。一方、この奥行きはできるだけ小さい方が好ましい。大きくなると包装箱１を平面視した場合に天面２１に大きく穴が開くことになってしまうからである。また、奥行きが大きくなると開封時に破断線１２が破断されない場合を生じるおそれが強くなる。
【００３４】
実施例１の係止部４５は、左内フラップ４１、右内フラップ４２共に、各内フラップ４１（４２）の前縁と平行であって、係止部４５の周縁をなす左右の切断線４７の端点同士を結ぶ線４８から、天面２１と開口縁の折り目線１４方向に向かって膨らむ略等脚台形状をした第２の切欠き４６を有する。この第２の切欠き４６のために、開封時に指が入り易くなり、開封しやすくなっている。この第２の切欠き４６は任意的なものであり、その形状も略等脚台形状に限られず、例えば半円状乃至半楕円状の切欠き４６であっても差し支えない。
【００３５】
この包装箱１の組み立て方は一般的な包装箱１の組み立て方とほとんど変わらず、箱本体１０の開口１１を塞ぐように、左内フラップ４１及び右内フラップ４２を山折りした後、天面２１を山折りし、さらに差込フラップ３０を取付片３１の天面２１への取り付け位置（折り目線１６）にて山折りし（図６（ａ））、左右の内フラップ４１（４２）の前方側側縁と箱本体１０正面の開口縁との間に差し込む。そうすると、取付片３１と天面２１が折り目線１６で山折りされているので、特に困難無く係止部４５に取付片３１が入り込み、包装箱１が封緘される（同図（ｂ））。
【００３６】
そうして組み立てられた包装箱１を開封する場合には、図６（ｂ）に示す状態から、天面２１を持ち上げると、差込片３２の後端縁３２ａが持ち上げられ、それと共に２つの内フラップ４１（４２）が持ち上げられる。しかしながら、内フラップ４１（４２）の持ち上がり角度は天面２１の持ち上がり角度に比べて抑えられるので、破断線１２には取付片３１による上向きの力と差込片３２による下向きの力が加えられる。そして、その両者の均衡が破られる結果、破断線１２が破断され、同図（ｃ）（ｄ）に示されるように差込片３２が切り離されて開封される。このように一度開封されると、差込フラップ３０が切断された状態になるので、開封されたことが一目で判別できる。
【００３７】
このように本発明の包装箱１では、内フラップ４１（４２）に切欠きからなる係止部４５が備えられているので、組み立て時には差込フラップ３０の取付片３１が係止部４５に入り込み、差込フラップ３０の差込片３２の後端縁３２ａを内フラップ４１（４２）の下面に位置させることができる。その結果、天面２１を持ち上げると、破断線１２には取付片３１による上向きの力と差込片３２による下向きの力が働き、両者のバランスが崩れることによって差込フラップ３０に備えられた破断線１２が破断される。
【００３８】
以上のように、本発明の包装箱１では、内フラップ４１（４２）の切欠きである係止部４５と、それと係止可能に構成された差込フラップ３０との組み合わせにより、開封操作によって差込フラップ３０を切断可能にしている。このような機能を果たすように、天面２１の切断線１２の方向や長さ、破断線１２の長さ、係止部４５の形状や大きさが適宜設定される。
【実施例２】
【００３９】
図７は本発明の第２の実施形態である包装箱１を一部破断した展開図である。この包装箱１は実施例１の包装箱１とほぼ同様な構造を有しているが、破断線１２は天面２１の取付部２２の周縁をなす２本の切断線２３の終点イを結ぶ線１５、すなわち、天面２１と取付片３１の折り目線１６上に設けられている。この包装箱１では、開封時には差込フラップ３０全体が切断される。このように破断線１２を２本の切断線２３の終点イを結ぶ線１５上に設け、差込フラップ３０全体を切断させてもよい。この終点イを結ぶ線１５も箱本体１０前面の開口縁と平行となっており、破断されやすい構造となっている。
【実施例３】
【００４０】
図８は本発明の第３の実施形態である包装箱１を一部破断した展開図である。この包装箱１も実施例１の包装箱１とほぼ同様な構造を有しているが、破断線１２は天面２１の取付部２２の周縁をなす２本の切断線２３上の中間点ロを結ぶ線であってかつ箱本体１０前面の開口縁と平行となっている点で異なる。この包装箱１では、取付片３１の一部が差込片３２とともに切断される。
【実施例４】
【００４１】
図９は本発明の第４の実施形態である包装箱１を一部破断した展開図である。この包装箱１は、天面２１の取付部２２の周縁をなす２本の切断線２３の始点ハを結ぶ線であって、差込片３２の先端側に膨らむ略等脚台形状を形成する線上に破断線１２が備えられている。この破断線１２も破断線１２の一部に箱本体１０前面の開口縁と平行な部分１２ａを有している。この包装箱１では、差込片３２の一部が取付片３１に残り、差込片３２の残る部分が切除される。
【実施例５】
【００４２】
図１０は本発明の第５の実施形態である包装箱１を一部破断した展開図である。この包装箱１は、取付片３１と差込片３２の取付線１８上に破断線１２が設けられているが、取付線１８の中央部分のみが破断線１２となり、破断線１２の両側においては取付片３１と差込片３２とを切り離す切断線１７となっている。このため、実施例２の包装箱１よりも破断線１２が確実に破断される。このように、天面２１の前縁から当該天面２１と前記開口縁の折り目線１４に向かって設けられた左右一対の切断線２３を周縁の一部とする取付部２２内に取付片３１を設け、取付片３１の先端に差込片３２を形成する限り、取付部２２の前縁幅（Ｌ５）と差込片３２の取付片３１への取付線１８の幅（Ｌ４）が必ずしも等しくなくてよい。
【実施例６】
【００４３】
上記実施例１の包装箱１は左右の内フラップ４１（４２）に一つの係止部４５を備えているが、本発明においては、複数の係止部４５を設けることもできる。図１１は第６の実施形態である包装箱１の展開図である。この包装箱１の左右の両内フラップ４１（４２）はそれぞれ２つの係止部４５を有している。組み立て時には左内フラップ４１（４２）が備えられた開口縁に近い位置にある係止部４５と、右内フラップ４１（４２）が備えられた開口縁から遠い位置にある係止部４５が重なり、左内フラップ４１（４２）が備えられた開口縁に遠い位置にある係止部４５と右内フラップ４１（４２）が備えられた開口縁に近い位置にある係止部４５が重なる。また、天面２１は２つの取付部２２を有しており、当該２つの取付部２２内にそれぞれ差込フラップ３０の取付片３１が備えられている。そして、破断線１２は、差込片３２の取付片３１への取付線１８上にそれぞれ設けられている。この包装箱１においても、実施例１と同様に、２つの取付片３１はそれぞれ対応する係止部４５に係止され、開封時に２つの破断線１２が切断され、差込片３２が切り離される。
【実施例７】
【００４４】
図１２は本発明の第７の実施形態である包装箱１の斜視図である。この包装箱１は右内フラップ４２のみを有している。係止部４５は、この右内フラップ４２の開口縁への折り目線４４の近傍に形成されており、その位置に合わせて天面２１に取付部２２が形成されている。
【００４５】
本発明においては、左右の内フラップ４１（４２）が、その下面に位置する差込片３２が開封動作により上方に移動するのを抑えることができればよい。従って、このような作用を発揮する限りにおいては、係止部４５の位置や天面２１の取付部２２の位置は、箱本体１０の大きさ、内フラップ４１（４２）の形状などに基づいて適宜設定される。
【００４６】
これらの機能を果たすことができれば、この実施例７に示すように左内フラップ４１又は右内フラップ４２の何れか一方に係止部４５を設けることでも差し支えない。しかしながら、この場合には、当該内フラップ４１（４２）がたやすく開き、差込片３２を抑える力を発揮できず、差込フラップ３０を切断できない場合がある。このような観点から、前記各実施例のように左内フラップ４１と右内フラップ４２を重ね、この重なる位置に係止部４５を設けるのが好ましい。
【００４７】
また、左内フラップ４１と右内フラップ４２は通例、図１に示されたように左右対称の形状に作製されるので、左内フラップ４１と右内フラップ４２は、箱本体１０のほぼ中央位置において重なることになり、開封時における左右のバランスが取りやすくなる。さらに、この重なり部分に差込片３２の後端縁３２ａが位置するので、内フラップ４１（４２）によって加わる力が効果的に破断線１２に加わり、破断線１２が破断されやすくなる。
【００４８】
このように本発明の包装箱１は、天面２１に形成された切欠きからなる取付部２２内に差込フラップ３０の取付片３１を備えるとともに、この取付片３１を内フラップ４１（４２）の上方から下方に交差させる切欠きからなる係止部４５を左内フラップ４１及び／又は右内フラップ４２を備えている。このために、封緘時に、取付片３１を係止部４５に挿通させ、取付片３１の先端に備えられた幅広の差込片３２の後端縁３２ａを内フラップ４１（４２）の下面に位置させることができる。そして、開封時には、差込フラップ３０に設けられた破断線１２に上向きの力と下向きの力が加わるので破断線１２が破断される。その結果、開封されたことが直ちに認識される。
【実施例８】
【００４９】
図１３は本発明の第８の実施形態である包装箱１の斜視図、図１４は当該包装箱１を一部破断した展開図、図１５は当該包装箱１の平面図、図１６は図１５のＢＢ線断面図である。この包装箱１は本発明の第２の実施態様に対応するものであって、差込片３２を取付片３１との取付位置にて予め山折りしておき、前方の開口縁と内フラップ４１（４２）の先端縁との間に差込片３２を差し込んだ後に、取付片３１を係止部４５に係止させるようにしたものである。この態様によると、取付片３１の天面２１への取付位置において明確な折り目線１６がなく、しなるようにして取付片３１が係止部４５に係止される。この結果、天面２１に大きな穴が開くことなく封することができる。
【００５０】
この包装箱１の展開図は、実施例１に示す包装箱１の展開図とほぼ同じであり、図１４に示すように、差込片３２の取付片３１への取付線１８上で山折りされる折り目線１３が設けられ、破断線１２が折り目線１３となっている点で異なる。また、天面２１の取付部２２の周縁をなす２本の切断線２３の終点イを結ぶ線（図示されていない）上には、折り目線が付されていない。
【００５１】
この包装箱１の係止部４５は、取付片３１を確実に係止させておく必要があるので、内フラップ４１（４２）の前縁の切欠き幅（Ｌ１：図示せず）は、差込片３２の取付片３１への取付幅（Ｌ３）よりもわずかに狭い必要がある。また、差込片３２の上端縁３２ａを、内フラップ４１（４２）の下面に位置させる必要があるので、係止部４５を形成する両側縁（切断線４７）は逆ハの字形状に形成するのが望ましい。従って、上記実施例と異なり、内フラップの前縁における切欠き幅（Ｌ１）と、差込片３２の取り付け幅（Ｌ３）の関係はＬ３＞Ｌ１となるが、これらと切断線４７の端点（終点）同士を結ぶ直線４８の長さ（幅）（Ｌ２）との関係はＬ２＞Ｌ３＞Ｌ１である必要はなく、Ｌ３＞Ｌ２＞Ｌ１となっても差し支えない。
【００５２】
包装箱１の組み立て時には予め折り目線１３（破断線１２）上で山折りされる。そして差込片３２を差し込んだ後に、取付片３１の前方位置を押し下げることによって、取付片３１を係止部４５に係止させて包装箱１を封する。この態様によっても、係止部４５に挿通させた取付片３１の先端に備えられた幅広の差込片３２の後端縁３２ａが内フラップ４１（４２）の下面に位置するので、開封時には、差込フラップ３０に設けられた破断線１２に上向きの力と下向きの力が加わり、破断線１２が破断される。
【００５３】
実施例８の包装箱１では、破断線１２は差込片３２と取付片３１の折り目線１３上に設けられているが、破断線１２の位置はこの位置でなくてもよい。例えば、図７の実施例２に示すように取付部２２の周縁を形成する切断線２３の終点イを結ぶ線１５を破断線１２としたり、図９の実施例４に示すように差込片３１に破断線１２を設けるなど、取付片３１の左右の縁（天面２１と取付片３１とを切断する切断線２３）上の点を端点とする任意の破断線１２を設けることができる。
【実施例９】
【００５４】
図１７は本発明の第９の実施形態である包装箱１を一部破断した展開図である。この包装箱１は、上記第２の実施態様とほぼ同様な構造をしているが、天面２１の取付部２２の周縁は、前縁から天面２１と開口縁の折り目線１４に向けて平行となった左右一対の切断線２３と、さらに両切断線２３の終点イから、さらに天面２１と開口縁の折り目線１４に向けて、幅方向外側に膨らむ円弧状の切断線２４を備え、この切断線２４の終点ニを結ぶ線が天面２１と取付片３１との接続線（図では現れない）となっている。つまり、左右一対の平行となった切断線２３と、それに続く左右一対の円弧状の切断線２４と、取付部２２の前縁と、円弧状の切断線２４の両終点ニを結ぶ線（図では現れない）によって天面２１の取付部２２が形成され、左右一対の平行となった切断線２３が取付部２２の周縁の一部となっている。
【００５５】
また、取付片３１の左右縁３１ａと左右一対の平行線となった切断線２３の間に隙間が形成され、取付片３１は天面２１の取付部２２よりも小さく作製されている。また、差込片３２は他の実施例と同じように、取付部２２の前縁幅よりも広い幅を有する略矩形状に作製されている。この包装箱１において、内フラップ４１（４２）に形成された係止部４５の前縁における切欠き幅（Ｌ１）と、差込片３２の取付片３１への取り付け幅（Ｌ３）の関係がＬ３＞Ｌ１となるようにしておくと、取付片３１を係止部４５に係止させることができる。
【００５６】
以上各実施例について説明したように、天面２１に設けた切欠きからなる取付部２２に、差込フラップ３０を構成する取付片３１を設け、当該取付片３１を内フラップ４１（４２）の下面に位置させることができる切欠きからなる係止部４５を内フラップ４１（４２）の前縁に設けているので、天面２１との取付部分において取付片３１を山折りすることにより、封をすることができる。また、予め差込片３２を取付片３１との取付部分において山折りした差込フラップ３０を差し込み、その後取付片３１の前方位置を下方に押さえることにより、封をすることができる。こうして天面２１で開口１１を塞ぐことにより、いずれの場合にも、差込片３２の上端縁３２ａが内フラップ４１（４２）の下面に位置する。その結果、開封した際には、差込フラップ２０に設けられた破断線１２が切断され、開封したことがすぐに判別される。
【００５７】
もっとも、本発明は上記実施例に限定されるものではなく、種々の変形例が考えられるのは言うまでもない。
【産業上の利用可能性】
【００５８】
本発明によると、差込フラップを備えた従来の一般的な包装箱と同じ組み立て方で組み立てることができる改ざん防止用の包装箱が提供される。特に、本発明によると天面と内フラップを糊付けしたり、差込片を差し込んだりする手間を省くことができる。
【符号の説明】
【００５９】
１  包装箱
１０  箱本体
１１  箱本体上部の開口
１２  差込フラップを切断する破断線
１４  天面と開口縁との折り目線
２１  天面
２２  天面の取付部
２３  天面の切欠きの周縁の一部を構成する切断線
３０  差込フラップ
３１  天面の取付部内に備えられる差込フラップの取付片
３２  取付片の先端に備えられる差込片
４１  左内フラップ
４１ａ  左内フラップの先端縁
４２  右内フラップ
４５  切欠きからなる係止部
【図１】
2010215263.tif 000003
【図２】
2010215263.tif 000004
【図３】
2010215263.tif 000005
【図４】
2010215263.tif 000006
【図５】
2010215263.tif 000007
【図６】
2010215263.tif 000008
【図７】
2010215263.tif 000009
【図８】
2010215263.tif 000010
【図９】
2010215263.tif 000011
【図１０】
2010215263.tif 000012
【図１１】
2010215263.tif 000013
【図１２】
2010215263.tif 000014
【図１３】
2010215263.tif 000015
【図１４】
2010215263.tif 000016
【図１５】
2010215263.tif 000017
【図１６】
2010215263.tif 000018
【図１７】
2010215263.tif 000019